(57)【要約】【課題】本発明の防水構造は、防水性を維持しながら嵌合力が高く安定した防水性を得ることが可能な防水構造を提供することを目的とする。【解決手段】表面に開口して内周面に係止部１２ａが形成された収容部１１ａを有する筐体１０ａと、収容部１１ａ内に、係止部１２ａと間隔をあけて収容された構造体２０ａと、筐体１０ａの開口を閉塞するカバー３０ａと、カバー３０ａから前記内周面と構造体２０ａとの間に突出して、係止部１２ａと係合するとともに、構造体２０ａ側に弾性変形することで前記係合状態が解除される変形部３１ａと、変形部３１ａと前記内周面との間に圧縮状態で設けられて、これらの間を液密に閉塞する弾性部材４０ａと、弾性部材４０ａによる変形部３１ａの構造体２０ａ側に向かっての付勢に抗して、前記内周面に向かって変形部３１ａを押圧する押圧部５０ａと、を備えることを特徴とする。【選択図】図９
2014093559.tif 000002
【特許請求の範囲】
【請求項１】
表面に開口して内周面に係止部が形成された収容部を有する筐体と、
前記収容部内に、該係止部と間隔をあけて収容された構造体と、
前記筐体の開口を閉塞するカバーと、
該カバーから前記内周面と前記構造体との間に突出して、前記係止部と係合するとともに、前記構造体側に弾性変形することで前記係合状態が解除される変形部と、
該変形部と前記内周面との間に圧縮状態で設けられて、これらの間を液密に閉塞する弾性部材と、
前記弾性部材による前記変形部の前記構造体側に向かっての付勢に抗して、前記内周面に向かって前記変形部を押圧する押圧部と、を備えることを特徴とする防水構造。
【請求項２】
前記押圧部が、前記構造体と前記変形部との離間方向に弾性変形可能とされて、前記構造体に当接することにより前記変形部を押圧することを特徴とする請求項１に記載の防水構造。
【請求項３】
前記押圧部は、
前記変形部に接続されて該変形部から前記構造体側に向かって延びる接続部と、
該接続部に接続されて前記内周面と平行な面に沿って延在し、該延在方向に前記接続部から離間した位置で前記構造体に当接する押圧部本体と、
を備えることを特徴とする請求項１又は請求項２に記載の防水構造。
【請求項４】
前記押圧部は、
前記押圧部本体から前記構造体側に突出する接触部を有し、
該押圧部本体に代えて前記接触部が前記構造体に当接することを特徴とする請求項３に記載の防水構造。
【請求項５】
前記押圧部本体は、前記変形部の突出方向及び前記接続部の突出方向と直角をなす方向に延びることを特徴とする請求項３又は請求項４に記載の防水構造。
【請求項６】
前記押圧部本体は、前記変形部の突出方向に延びることを特徴とする請求項３又は請求項４に記載の防水構造。
【請求項７】
請求項１から請求項６のいずれか一項の防水構造を備えることを特徴とする電子機器。
【請求項８】
筐体の表面に開口し、内周面に係止部が形成された収容部に、該係止部と間隔をあけて構造体を収容し、
該構造体を収容した後に、カバーから前記内周面と前記構造体との間に突出して、前記構造体側に弾性変形することで係合状態が解除される変形部を前記係止部と係合し、
該変形部と前記内周面との間に弾性部材を圧縮状態にして、前記筐体の開口を該カバーで該変形部と前記内周面との間を液密に閉塞し、
前記構造体による前記変形部の前記構造体側に向かっての付勢に抗して、前記構造体から前記内周面に向かって前記変形部を押圧することを特徴とする防水方法。
【発明の詳細な説明】
【技術分野】
【０００１】
本発明は、防水構造、防水構造を備えた電子機器、及び防水方法に関する。
【背景技術】
【０００２】
携帯電話機、デジタルカメラ、携帯ゲーム機等の電子機器には電池が使用されている。電池を収容するために電子機器の筐体には開口部が設けられており、電子機器は、この開口部を簡単に開閉できるカバーを備えている。また、防水仕様の電子機器には、筐体の開口部とカバーとの隙間から筐体内部への浸水を防止するために、筐体の開口部とカバーとの間にゴム製の弾性部材が防水パッキンとして設けられている。
例えば、特許文献１には、ゴム製の防水パッキンがカバーの枠体と一体化されることで信頼性の高い防水性を確保する防水構造に関する技術が開示されている。この技術を用いることにより、異物の噛み込みに起因する防水性の低下を防止し、防水構造の信頼性を向上することができる。
【先行技術文献】
【特許文献】
【０００３】
【特許文献１】特開２０１１−２３９０９９号公報
【発明の概要】
【発明が解決しようとする課題】
【０００４】
しかしながら、特許文献１による方法では、カバーを閉じた際に、弾性部材であるゴム製の防水パッキンが筐体とカバーの枠体とによって圧縮され、枠体を電池側に押圧してしまい変形させてしまう。そのため、枠体に嵌合部が設けられていると、嵌合部のロックが充分にかからず嵌合力が低下してしまう。これにより、電子機器を落下した場合など、外部からの衝撃によってカバーが脱落してしまい防水性が損なわれてしまうという問題を有している。
【０００５】
本発明は、上記課題を解決するためになされたものであって、安定した防水性を得ることが可能な防水構造、防水構造を有した電子機器、及び防水方法を提供することを目的とする。
【課題を解決するための手段】
【０００６】
上記課題を解決するために、本発明は以下の手段を提案している。
本発明の一態様に係る防水装置は、表面に開口して内周面に係止部が形成された収容部を有する筐体と、前記収容部内に、該係止部と間隔をあけて収容された構造体と、
前記筐体の開口を閉塞するカバーと、該カバーから前記内周面と前記構造体との間に突出して、前記係止部と係合するとともに、前記構造体側に弾性変形することで前記係合状態が解除される変形部と、該変形部と前記内周面との間に圧縮状態で設けられて、これらの間を液密に閉塞する弾性部材と、前記弾性部材による前記変形部の前記構造体側に向かっての付勢に抗して、前記内周面に向かって前記変形部を押圧する押圧部と、を備えることを特徴とする。
【０００７】
また、本発明の一態様に係る防水構造を備える電子機器においては、上記防水構造を備えることを特徴とする。
【０００８】
さらに、本発明の一態様に係る防水方法においては、筐体の表面に開口し、内周面に係止部が形成された収容部に、該係止部と間隔をあけて構造体を収容し、該構造体を収容した後に、カバーから前記内周面と前記構造体との間に突出して、前記構造体側に弾性変形することで係合状態が解除される変形部を前記係止部と係合し、該変形部と前記内周面との間に弾性部材を圧縮状態にして、前記筐体の開口を該カバーで該変形部と前記内周面との間を液密に閉塞し、前記構造体による前記変形部の前記構造体側に向かっての付勢に抗して、前記構造体から前記内周面に向かって前記変形部を押圧することを特徴とする。
【発明の効果】
【０００９】
本発明の防水構造、防水構造を備える電子機器、及び防水方法によれば、変形部が弾性部材によって構造体側に付勢されても、押圧部によって内周面に向かって押圧することで、筐体とカバーとの係合を十分に行うことができ、嵌合力が高く安定した防水性を得ることができる。
【図面の簡単な説明】
【００１０】
【図１】本発明の第一実施形態に係る防水構造を備えた電子機器である携帯電話機を示す模式的な斜視図である。
【図２】本発明の第一実施形態に係る防水構造を備えた携帯電話機である図１におけるＡ−Ａの横断面図である。
【図３】本発明の第一実施形態に係る押圧部を説明する図１における横断面図の拡大図である。
【図４】本発明の第一実施形態に係る押圧部をカバー側から説明する拡大図である。
【図５】本発明の第二実施形態に係る防水構造を備えた携帯電話機を説明する横断面図である。
【図６】本発明の第二実施形態に係る押圧部を説明する横断面図の拡大図である。
【図７】本発明の第二実施形態に係る押圧部をカバー側から説明する拡大図である。
【図８】本発明の実施形態に係る最小構成の防水構造を備えた電子機器を示す模式的な斜視図である。
【図９】本発明の実施形態に係る最小構成の防水構造を備えた電子機器である図８におけるＢ−Ｂの横断面図である。
【発明を実施するための形態】
【００１１】
以下、本発明に係る第一実施形態について図１から図４を参照して説明する。
なお、本実施形態では、防水構造が搭載される電子機器として携帯電話機（電子機器）１を例に挙げて説明する。
図１及び図２に示すように、第一実施形態の防水構造を有する電子機器である携帯電話機（電子機器）１は、表面から開口して形成される収容部１１を有する筐体である機器本体（筐体）１０と、機器本体（筐体）１０の開口から収容部１１に収容される構造体である電池（構造体）２０と、機器本体（筐体）１０の開口を閉塞するカバー３０と備えている。さらに、この携帯電話機（電子機器）１は、カバー３０から突出する変形部３１と、変形部３１と機器本体（筐体）１０との間で圧縮されて配置される弾性部材４０と、カバー３０によって収容部１１が閉塞された状態で変形部３１と電池（構造体）２０の間に配置される押圧部５０とを備えている。
【００１２】
ここで、本実施形態においては、携帯電話機（電子機器）１の厚み方向をＺ方向（図２紙面上下方向）、携帯電話機（電子機器）１の幅方向をＹ方向（図２紙面左右方向）、携帯電話機（電子機器）１の高さ方向をＸ方向（図２紙面奥行方向）とする。
【００１３】
機器本体（筐体）１０は、箱形状をなす携帯電話機（電子機器）１の筐体であり、液晶等が用いられている表示面と対向する面である裏面側の表面から開口して形成される収容部１１を有している。
収容部１１は、機器本体（筐体）１０の裏面側の表面から開口する矩形状の凹部であり、凹部の内側の壁面である内周面を機器本体（筐体）１０内部に形成している。そして、収容部１１は、内周面に形成される係止部１２を有している。
係止部１２は、断面半円形状をなし、Ｘ方向に内周面に沿って延びる突起であり、収容部１１のＹ方向の内周面に配置されている。
【００１４】
電池（構造体）２０は、直方形状をなしており、機器本体（筐体）１０の開口である収容部１１内に電池（構造体）２０の側面と係止部１２とが間隔を開けて収容されている。
カバー３０は、平板形状をなし、機器本体（筐体）１０の開口である収容部１１を覆う様に閉塞して配置されている。さらに、カバー３０は、機器本体（筐体）１０を向く面から突出する変形部３１を有している。
【００１５】
変形部３１は、カバー３０の機器本体（筐体）１０を向く面からＺ方向に突出しており、一度Ｙ方向の電池（構造体）２０側に直角に曲げられた後に再び変形部３１の突出方向であるＺ方向に曲げられている。そして、変形部３１は、カバー３０が機器本体（筐体）１０の収容部１１を閉塞して取り付けられた場合に、収容部１１の内周面と電池（構造体）２０の側面との隙間に位置するよう配置されている。さらに、変形部３１は、収容部１１の内周面に配置された係止部１２と係合するよう先端側に被係止部３２を有している。
被係止部３２は、矩形状の孔部をなしており、変形部３１のＺ方向の機器本体（筐体）１０側である先端側に、係止部１２と対応するよう配置されている。そして、被係止部３２は、カバー３０が収容部１１を閉塞して機器本体（筐体）１０に取り付けられた状態で、係止部１２と係合し係合状態となることで、カバー３０を固定している。
【００１６】
弾性部材４０は、ゴム材から構成されており、変形部３１の内周面と対向する面側であり、カバー３０との接続部分である変形部３１の根元部分に一体化されている。そして、弾性部材４０は、収容部１１の内周面と変形部３１の内周面に対向する面との間に配置されている。さらに、弾性部材４０は、カバー３０が機器本体（筐体）１０を閉塞すると、収容部１１の内周面と変形部３１の内周面に対向する面との隙間が狭められることによって圧縮され、機器本体（筐体）１０である内周面とカバー３０である変形部３１との間を液密に閉塞している。
【００１７】
図３及び図４に示すように、押圧部５０は、変形部３１の電池（構造体）２０側を向く面から突出して形成されており、変形部３１と接続されて電池（構造体）２０に向かって突出する接続部５３と、接続部と接続されて内周面と平行な面に沿って延びる押圧部本体５１と、押圧部本体５１から突出し接続部５３と離間した位置に配置される接触部５２とを有している。そして、押圧部５０は、押圧部本体５１が接続部５３を支点にして電池（構造体）２０と変形部３１との離間方向に弾性変形可能とされている。つまり、押圧部５０は、接触部５２を介して押圧部本体５１が内周面側であるＹ方向左側に向かって押圧されることで、押圧部本体５１を介して変形部３１を内周面側であるＹ方向左側に向かって押圧する。
【００１８】
接続部５３は、変形部３１の先端側であるＺ方向の機器本体（筐体）１０側かつ変形部３１の側面の一方側であるＸ方向奥側から、電池（構造体）２０側に向かって延びている。
押圧部本体５１は、変形部３１の突出方向であるＺ方向及び接続部５３の突出方向であるＹ方向に直角をなす方向であるＸ方向に延びている。
接触部５２は、半球状をなして、押圧部本体５１から電池（構造体）２０側であるＹ方向右側に向かって突出している。そして、接触部５２は、変形部３１のＸ方向の中心、かつ、接続部５３と押圧部本体５１の延在方向であるＸ方向に離間した位置に配置されている。
【００１９】
次に、上記構成の防水構造を備えた携帯電話機（電子機器）１の作用について説明する。
携帯電話機（電子機器）１の収容部１１に電池（構造体）２０が収容され、カバー３０が収容部１１を閉塞するように取り付けられると、カバー３０から突出している変形部３１が収容部１１の内周面と電池（構造体）２０の側面との隙間に挿入される。変形部３１がこの隙間に挿入されると、内周面に設けられた突起である係止部１２が、変形部３１に設けられた孔部である被係止部３２に嵌まり込み係合される。これによって、機器本体（筐体）１０とカバー３０とが固定される。
【００２０】
機器本体（筐体）１０とカバー３０とが固定されることで収容部１１の内周面と変形部３１の内周面に対向する面との隙間が狭められ、変形部３１の根元部分に一体化されゴム材で構成されている弾性部材４０は、圧縮されてこの隙間を液密に閉塞している。弾性部材４０は、圧縮されると反力が生じ、変形部３１に対して電池（構造体）２０側に向かって力をかけ、変形部３１をＹ方向の電池（構造体）２０側へ付勢し押圧する。これによって、変形部３１は電池（構造体）２０側であるＹ方向右側に変形し、被係止部３２である孔部もＹ方向右側に移動してしまい係合状態が解除される方向に動くことで、係止部１２である突起との掛かり量が減少し嵌合力が低下する。
【００２１】
一方、電池（構造体）２０の側面と対向する変形部３１の面に設けられた押圧部５０は、変形部３１が収容部１１と電池（構造体）２０との隙間に挿入されると、電池（構造体）２０の側面と接触部５２とが接触する。接触部５２は電池（構造体）２０と当接することでＹ方向の内周面側へと押圧され、押圧部本体５１が弾性的に変形部３１に近づくように変形される。この結果、接続部５３を介して変形部３１にもＹ方向の内周面側へと力が加わる。そのため、変形部３１は弾性部材４０から受ける構造体側へ付勢する力に抗する力が働き、弾性部材４０によって押圧される方向と逆方向である内周面側に向かって押圧し返されることとなる。これによって、被係止部３２である孔部もＹ方向左側に移動し、係止部１２である突起との掛かり量が増加することで、弾性部材４０によって低下した嵌合力が回復する。
【００２２】
上記のような防水構造及び防水構造を備える電子機器である携帯電話機（電子機器）１によれば、機器本体（筐体）１０とカバー３０との間を液密に閉塞する際に、弾性部材４０が圧縮されることで生じる反力によって変形部３１が押圧され変形しても、弾性部材４０によって押圧される方向と逆方向から押圧部５０によって変形部３１を押圧することで、変形部３１がほとんど変形しない。これにより、被係止部３２と係止部１２との掛かり量を減少させることがなく、嵌合力が高く安定した防水性を得ることが可能となる。
また、嵌合力が高まったことで電子機器である携帯電話機（電子機器）１を落下してしまった場合のように外部から大きな衝撃を受けても被係止部３２と係止部１２との係合状態が維持されるため、カバー３０の脱落やずれを防止できる。これにより、水中に落下した場合でも、その衝撃によってカバー３０が脱落したりずれたりすることがないため、弾性部材４０によって液密に閉塞された状態が維持され続け、より安定した防水性を確保することができる。
【００２３】
さらに、電池（構造体）２０が収容部１１に収容される際に、内周面の一方側であるＹ方向左右一方に寄って配置され、電池（構造体）２０の側面と収容部１１の内周面との隙間が左右で異なっている場合であっても、押圧部５０が弾性的変形可能とされていることで、変形部３１に力をかけすぎることがない。即ち、電池（構造体）２０の側面と収容部１１の内周面との隙間が小さい場合であっても、弾性変形可能とされていることで変形部３１に対して過度な力がかかり難いため、変形部３１を押圧し過ぎて被係止部３２と係止部１２との係合状態が解除されなくなるということや、押圧部５０や変形部３１を破壊してしまうということがない。
【００２４】
また、押圧部５０が接触部５２を介して電池（構造体）２０と接触しながら弾性変形することで、電池（構造体）２０が収容部１１内で移動することを防止できる。このため、充電等の使用による電池（構造体）２０が膨らむことを考慮して収容部１１と電池（構造体）２０との隙間に余裕を持たせてクリアランスを大きく設けても、電池（構造体）２０のガタツキを防ぐことが可能となる。
さらに、押圧部５０である押圧部本体５１が、変形部３１の突出方向及び接続部５３の突出方向と直角をなす方向であり内周面に沿った方向であるＸ方向に延在していることで、押圧部５０を携帯電話機（電子機器）１の高さ方向に沿って形成することができる。これによって、携帯電話機（電子機器）１の厚みが薄い場合であっても押圧部５０を形成することが可能となる。
【００２５】
また、変形部３１と接続され押圧する接続部５３と、電池（構造体）２０と当接し押圧される接触部５２とが、押圧部本体５１の延在方向であるＸ方向に離間した位置に配置されていることで、接続部５３を支点として押圧部本体５１が撓むことができる。これにより、押圧部の弾性変形を起こし易くすることができる。
さらに、接触部５２が押圧部本体５１から突出して形成されることで、電池（構造体）２０と押圧部５０との接触面積が減り摩擦を受けづらくなるため、押圧部５０に大きな負荷がかかりにくくなる。
【００２６】
また、変形部３１の根元部分に一体化して弾性部材４０形成することで、カバー３０を機器本体（筐体）１０に取り付ける際に弾性部材４０がずれることがないため、防水性の低下を防止することができる。
さらに、これらの防水構造を備える電子機器である携帯電話機（電子機器）１とすることで、液密性を維持したまま嵌合力を高めているため、水中に落下した場合でも内部へ水が浸入することがほとんどなく安定した防水性を確保することが可能となる。
【００２７】
次に、図５から図７を参照して第二実施形態の防水構造を備えた電子機器である携帯電話機（電子機器）１について説明する。
第二実施形態においては第一実施形態と同様の構成要素には同一の符号を伏して詳細な説明を省略する。この第二実施形態では、押圧部５０の形状が相違する。
【００２８】
即ち、第二実施形態では、押圧部５０の代わりに縦押圧部６０を有している。縦押圧部６０は、変形部３１と接続されて電池（構造体）２０に向かって突出する縦押圧接続部６３と、続部と接続されて内周面と平行な面に沿う方向であるＸ方向に延びる縦押圧部本体６１と、それぞれの縦押圧部本体６１から突出する縦押圧接触部６２とを二カ所に有している。そして、縦押圧部６０は、縦押圧部本体６１が縦押圧接続部６３を支点にして、第一実施得形態の押圧部５０と同様に弾性変形可能とされている。つまり、縦押圧部６０は、縦押圧接触部６２を介して縦押圧部本体６１が内周面側であるＹ方向左側に向かって押圧されることで、縦押圧部本体６１を介して変形部３１を内周面側であるＹ方向左側に向かって押圧する。
【００２９】
縦押圧接続部６３は、変形部３１の根本側であるＺ方向のカバー３０側かつ変形部３１の側面の両端の二カ所から、電池（構造体）２０側に向かって延びている。
縦押圧部本体６１は、変形部３１の側面の両端から延びているそれぞれの縦押圧接続部６３に接続されており、変形部３１の突出方向であるＺ方向に延びている。
縦押圧接触部６２は、接触部５２と同様に半球状をなして縦押圧部本体６１の電池（構造体）２０側であるＹ方向右側から突出している。そして、縦押圧接触部６２は、縦押圧部本体６１の先端側に、縦押圧接続部６３とＺ方向に離間して配置されている。
【００３０】
上記のような防水構造及び防水構造を備える電子機器である携帯電話機（電子機器）１によれば、カバー３０を挿入する方向と、縦押圧部６０の延在方向とが同じ方向となる。つまり、変形部３１と縦押圧部６０とが、電池（構造体）２０の側面と収容部１１の内周面との隙間に挿入される際に、縦押圧部６０が電池（構造体）２０の側面と接触し、摩擦によって挿入する方向と反対方向へ力が生じても、縦押圧部６０の延在方向に沿った方向に力が働くことで縦押圧接続部６３にかかるせん断方向の負荷を軽減することができる。これにより、電池（構造体）２０の側面と収容部１１の内周面との隙間が小さい場合等、縦押圧部６０が電池（構造体）２０と大きく接触し負荷がかかる場合であっても、縦押圧部６０のねじれ等の変形を防止することが可能となる。
【００３１】
上述した実施形態においては、本発明を実施するうえでの最良の形態の一例に説明したが、本発明の防水構造は、図８及び図９に示す最小構成を備えていれば、上述した作用効果を奏し得る。
【００３２】
即ち、本発明の防水構造は、内周面に係止部１２ａが形成された収容部１１ａを表面に開口して有する筐体１０ａと、収容部１１ａ内に係止部１２ａと間隔をあけて収容された構造体２０ａと、筐体１０ａの開口を閉塞するカバー３０ａと、を備えている。そして、本発明の防水構造は、カバー３０ａから内周面と構造体２０ａとの間に突出して、係止部１２ａと係合するとともに、構造体２０ａ側に弾性変形することで係合状態が解除される変形部３１ａと、変形部３１ａと内周面との間に圧縮状態で設けられて、これらの間を液密に閉塞する弾性部材４０ａとを備えている。さらに、本発明の防水構造は、弾性部材４０ａによる変形部３１ａの構造体２０ａ側に向かっての付勢に抗して、内周面に向かって変形部３１ａを押圧する押圧部５０ａと、を備えている。
【００３３】
また、本発明の最小構成による防水方法は、筐体１０ａの表面に開口し、内周面に係止部１２ａが形成された収容部１１ａに、係止部１２ａと間隔をあけて構造体２０ａを収容し、構造体２０ａを収容した後に、カバー３０ａから内周面と構造体２０ａとの間に突出して、構造体２０ａ側に弾性変形することで係合状態が解除される変形部３１ａを係止部１２ａと係合し、変形部３１ａと内周面との間に弾性部材４０ａを圧縮状態にして、筐体１０ａの開口をカバー３０ａで変形部３１ａと内周面との間を液密に閉塞し、構造体２０ａによる変形部３１ａの構造体２０ａ側に向かっての付勢に抗して、構造体２０ａから内周面に向かって変形部３１ａを押圧する。
【００３４】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、クレームの範囲によってのみ限定される。
【００３５】
なお、本実施形態では、電子機器を携帯電話機（電子機器）１としたが、これに限られるものではない。例えば、デジタルカメラや携帯ゲーム機等にも使用されても良い。
【００３６】
また、押圧部５０の形状は本実施形態のものに限られるものではなく、他の形状としても良い。例えば、変形部３１に直接設けられている必要はなく、カバー３０自体から突出して形成されても良く、構造体側に直接形成されても良い。あるいは、ゴム材のような弾性材料を電池（構造体）２０と変形部３１との間に配置して押圧部５０としても良い。
【符号の説明】
【００３７】
１…携帯電話機（電子機器）  １０…機器本体（筐体）  ２０…電池（構造体）  ３０…カバー  ４０…弾性部材  ５０…押圧部  １１…収容部  １２…係止部  ３１…変形部  ３２…被係止部  ５１…押圧部本体  ５２…接触部  ５３…接続部  ６０…縦押圧部  ６１…縦押圧部本体  ６２…縦押圧接触部  ６３…縦押圧接続部
【図１】
2014093559.tif 000003
【図２】
2014093559.tif 000004
【図３】
2014093559.tif 000005
【図４】
2014093559.tif 000006
【図５】
2014093559.tif 000007
【図６】
2014093559.tif 000008
【図７】
2014093559.tif 000009
【図８】
2014093559.tif 000010
【図９】
2014093559.tif 000011